(57)【特許請求の範囲】
【請求項１】
紙幣を受け付ける入金口と、
紙幣を識別計数する識別部と、
紙幣を搬送する搬送部と、
紙幣を集積する複数の出金口と、
紙幣を収納する収納部と
を備え、
前記入金口から前記搬送部により搬送される紙幣を、前記識別部の識別結果に基づいて、前記複数の出金口に区分けして集積するか又は前記収納部に収納する
ことを特徴とする紙幣処理装置。
【請求項２】
前記複数の出金口では、前記識別部の計数結果に基づいて、紙幣を区分けして集積することを特徴とする請求項１に記載の紙幣処理装置。
【請求項３】
前記複数の出金口では、金種に基づいて、紙幣を区分けして集積することを特徴とする請求項１又は２に記載の紙幣処理装置。
【請求項４】
前記複数の出金口では、正損に基づいて、紙幣を区分けして集積することを特徴とする請求項１〜３のいずれか１項に記載の紙幣処理装置。
【請求項５】
前記複数の出金口では、真偽に基づいて、紙幣を区分けして集積することを特徴とする請求項１〜４のいずれか１項に記載の紙幣処理装置。
【請求項６】
前記複数の出金口では、表裏に基づいて、紙幣を区分けして集積することを特徴とする請求項１〜５のいずれか１項に記載の紙幣処理装置。
【請求項７】
前記複数の出金口では、搬送状態に基づいて、紙幣を区分けして集積することを特徴とする請求項１〜６のいずれか１項に記載の紙幣処理装置。
【発明の詳細な説明】
【技術分野】
【０００１】
この発明は、紙幣の入金処理や入出金処理を行う紙幣処理装置に関し、特に、リジェクト紙幣の再入金作業を効率的に行うことができる紙幣処理装置に関する。
【背景技術】
【０００２】
従来、銀行等の金融機関に設置され、紙幣の入出金処理を行う紙幣処理装置が知られている。たとえば、特許文献１に記載の紙幣処理装置は、入金口へ投入された紙幣に対して識別部を用いて金種や真偽等を識別し、適正な紙幣と識別された紙幣を金種ごとの収納部へ収納する。また、特許文献１に記載の紙幣処理装置は、収納部へ収納された紙幣をオペレータからの操作に応じて出金口へ投出する。
【０００３】
また、特許文献１に記載の紙幣処理装置は、入金紙幣の中に偽券や損券といった不適正な紙幣が含まれる場合には、これら不適正な紙幣をリジェクト紙幣として所定のリジェクト口から出金することとしている。
【０００４】
ここで、リジェクト紙幣の中には、上記のような不適正な紙幣だけでなく、たとえば、収納部が満杯で収納することができなかった適正な紙幣が含まれる場合がある。同様に、リジェクト紙幣の中には、斜行状態で搬送されたり他の紙幣と連なった状態で搬送されたりすることによって識別不能と判定された適正な紙幣が含まれる場合もある。すなわち、リジェクト紙幣の中には、再度の識別を行うことによって適正に処理される可能性のある紙幣が含まれる場合がある。
【０００５】
このため、オペレータは、たとえば、満杯になった収納部から紙幣を回収したのち、リジェクト口から排出されたリジェクト紙幣を入金口へ再投入することによって、リジェクト紙幣に含まれる適正な紙幣を収納部へ収納させるといった再入金作業を行っていた。
【先行技術文献】
【特許文献】
【０００６】
【特許文献１】特開２００４−１４５６００号公報
【発明の概要】
【発明が解決しようとする課題】
【０００７】
しかしながら、従来の紙幣処理装置には、オペレータがリジェクト紙幣の再入金作業を効率的に行うことができないという問題があった。これは、従来の紙幣処理装置が、リジェクト紙幣を不適正な紙幣と適正な紙幣とが混在した状態でリジェクト口へ排出するためである。
【０００８】
このため、従来では、偽券や損券等のように確実に入金不可能なリジェクト紙幣についても再入金作業を行わなければならず、余計な手間や時間がかかっていた。
【０００９】
また、リジェクト紙幣の中には、そもそも適正な紙幣が一枚も含まれていない場合もある。しかし、オペレータは、リジェクト口に集積されたリジェクト紙幣を一見しただけでは、リジェクト紙幣の中に適正な紙幣が含まれていないと判断することが困難である。このため、オペレータは、たとえリジェクト紙幣の中に適正な紙幣が含まれていなくても再入金作業を行わなければならなかった。
【００１０】
これらのことから、リジェクト紙幣の再入金作業を効率的に行うことができる紙幣処理装置あるいは紙幣処理方法をいかにして実現するかが大きな課題となっている。
【００１１】
本発明は、上述した従来技術による問題点を解消するためになされたものであって、リジェクト紙幣の再入金作業を効率的に行うことができる紙幣処理装置を提供することを目的とする。
【課題を解決するための手段】
【００１２】
上述した課題を解決し、目的を達成するため、本発明は、紙幣処理装置であって、紙幣を受け付ける入金口と、紙幣を識別計数する識別部と、紙幣を搬送する搬送部と、紙幣を集積する複数の出金口と、紙幣を収納する収納部とを備え、前記入金口から前記搬送部により搬送される紙幣を、前記識別部の識別結果に基づいて、前記複数の出金口に区分けして集積するか又は前記収納部に収納することを特徴とする。
【００１４】
また、本発明は、上記発明において、前記複数の出金口では、前記識別部の計数結果に基づいて、紙幣を区分けして集積することを特徴とする。
【００１５】
また、本発明は、上記発明において、前記複数の出金口では、金種に基づいて、紙幣を区分けして集積することを特徴とする。
【００１６】
また、本発明は、上記発明において、前記複数の出金口では、正損に基づいて、紙幣を区分けして集積することを特徴とする。
【００１７】
また、本発明は、上記発明において、前記複数の出金口では、真偽に基づいて、紙幣を区分けして集積することを特徴とする。
【００１８】
また、本発明は、上記発明において、前記複数の出金口では、表裏に基づいて、紙幣を区分けして集積することを特徴とする。
【００１９】
また、本発明は、上記発明において、前記複数の出金口では、搬送状態に基づいて、紙幣を区分けして集積することを特徴とする。
【発明の効果】
【００２０】
本発明によれば、識別手段が、投入された紙幣を識別し、入金可否判定手段が、識別手段による識別結果に基づいて紙幣の入金の可否を判定し、リジェクト原因特定手段が、入金可否判定手段によって入金不可と判定されたリジェクト紙幣のリジェクト原因を特定し、出金処理手段が、リジェクト原因特定手段によって特定されたリジェクト原因に基づいてリジェクト紙幣を区分けして出金することとしたため、リジェクト紙幣の再入金作業を効率的に行うことができるという効果を奏する。
【００２１】
また、本発明によれば、出金処理手段が、リジェクト原因特定手段によって特定されたリジェクト原因をリジェクト紙幣の出金先情報を含んだ出金態様とともに所定の報知手段を用いて報知することとしたため、リジェクト紙幣の再入金作業をより効率的に行うことができるという効果を奏する。
【００２２】
また、本発明によれば、紙幣を金種ごとに収納する複数の収納手段と、複数の収納手段の異常を収納手段ごとに検知する収納異常検知手段とをさらに備え、リジェクト原因特定手段が、リジェクト紙幣が識別手段によって適正と識別されており、かつ、リジェクト紙幣の金種に対応する収納手段の異常が収納異常検知手段によって検知されている場合に、リジェクト紙幣のリジェクト原因が収納手段の異常であると特定し、出金処理手段が、リジェクト原因特定手段によってリジェクト原因が収納手段の異常であると特定されたリジェクト紙幣を他のリジェクト原因のリジェクト紙幣と区分けして出金することとした。したがって、適正な紙幣であるにもかかわらず収納部の異常によって入金不可とされてしまったリジェクト紙幣の再入金作業を効率的に行うことができるという効果を奏する。
【００２３】
また、本発明によれば、投入された紙幣の搬送異常を検知する搬送異常検知手段をさらに備え、リジェクト原因特定手段が、リジェクト紙幣が識別手段によって不適正と識別されており、かつ、該リジェクト紙幣の搬送異常が搬送異常検知手段によって検知されている場合に、該リジェクト紙幣のリジェクト原因が搬送異常であると特定し、出金処理手段が、リジェクト原因特定手段によってリジェクト原因が搬送異常であると特定されたリジェクト紙幣を他のリジェクト原因のリジェクト紙幣と区分けして出金することとした。したがって、斜行や連鎖といった搬送異常が原因で入金不可とされてしまったリジェクト紙幣の再入金作業を効率的に行うことができるという効果を奏する。
【００２４】
また、本発明によれば、紙幣を投出する複数の出金口をさらに備え、出金処理手段が、リジェクト原因特定手段によって特定されたリジェクト原因が所定のリジェクト原因に該当する第１のリジェクト紙幣を一の出金口へ出金するとともに、リジェクト原因が所定のリジェクト原因に該当しない第２のリジェクト紙幣を他の出金口へ出金することとした。したがって、再度の投入によって入金可能な適正リジェクト紙幣と何度投入しても入金されることのない不適正リジェクト紙幣とをそれぞれ異なる出金口へ出金させることができる結果、適正リジェクト紙幣の再入金作業を効率的に行うことができるという効果を奏する。
【００２５】
また、本発明によれば、繰り入れた紙幣の表裏を反転させて繰り出す表裏反転手段をさらに備え、識別手段が、紙幣の表裏を識別し、出金処理手段が、リジェクト原因特定手段によって特定されたリジェクト原因が所定のリジェクト原因に該当する第１のリジェクト紙幣を表向きまたは裏向きの何れかの向きで出金することを決定するとともに、リジェクト原因が所定のリジェクト原因に該当しない第２のリジェクト紙幣を第１のリジェクト紙幣とは逆向きで出金することを決定し、表裏反転手段が、識別手段によって識別された表裏の向きと出金処理手段によって決定された表裏の向きとが異なる場合に、リジェクト紙幣の表裏を反転させたうえで該リジェクト紙幣を出金することとした。したがって、再度の投入によって入金可能な適正リジェクト紙幣と何度投入しても入金されることない不適正リジェクト紙幣とをそれぞれ異なる向きで出金させることができる結果、適正リジェクト紙幣の再入金作業を効率的に行うことができるという効果を奏する。
【図面の簡単な説明】
【００２６】
【図１】図１は、本発明に係る紙幣処理手法の概要を示す図である。
【図２】図２は、本実施例に係る紙幣処理装置の内部構成を示す図である。
【図３】図３は、本実施例に係る紙幣処理装置の機能構成を示すブロック図である。
【図４】図４は、収納異常によるリジェクト紙幣の出金先を区分けする場合の動作例を示す図である。
【図５】図５は、搬送異常によるリジェクト紙幣の出金先を区分けする場合の動作例を示す図である。
【図６】図６は、一時保留部による表裏反転処理の動作例を示す図である。
【図７】図７は、一時保留部を利用してリジェクト紙幣を区分けする場合の動作例を示す図である。
【図８】図８は、出金処理部の他の動作例を示す図である。
【図９】図９は、本実施例に係る紙幣処理装置の処理手順を示すフローチャートである。
【図１０】図１０は、処理機コードに基づいて入出金処理を行う場合について説明するための図である。
【図１１】図１１は、新旧紙幣を区別せずに処理する場合について説明するための図である。
【発明を実施するための形態】
【００２７】
以下に添付図面を参照して、本発明に係る紙幣処理装置の実施例を詳細に説明する。
【００２８】
まず、実施例の詳細な説明に先立って、本発明に係る紙幣処理手法の概要について図１を用いて説明する。図１は、本発明に係る紙幣処理手法の概要を示す図である。なお、同図の（Ａ）には、紙幣処理装置の処理概要を示し、同図の（Ｂ）には、リジェクト原因の具体例を示し、同図の（Ｃ）には、リジェクト紙幣に対する出金処理の動作例を示している。
【００２９】
本発明に係る紙幣処理手法では、入金不可と判定されたリジェクト紙幣をリジェクト原因に応じて区分けして出金することができる。
【００３０】
具体的には、同図の（Ａ）に示したように、本発明に係る紙幣処理手法では、まず、紙幣処理装置に対して投入された紙幣を識別部を用いて識別する。ここで、識別部では、紙幣の金種や真偽、正損あるいは表裏等を識別する。
【００３１】
つづいて、本発明に係る紙幣処理手法では、入金可否判定部が、識別部による識別結果に基づいて紙幣の入金可能か否かを判定し、入金可と判定された紙幣を金種ごとの収納部へと収納する。また、本発明に係る紙幣処理手法では、入金可否判定部によって入金不可と判定された紙幣をリジェクト紙幣として所定の出金口から出金する。すなわち、紙幣処理装置は、識別部による識別結果に基づき、リジェクト紙幣については投出しつつ、その他の正常な紙幣を金種ごとに収納することができる。
【００３２】
しかしながら、リジェクト紙幣の中には、適正紙幣であるにもかかわらず識別部によって不適正と識別された結果、入金可否判定部によって入金不可と判定されたリジェクト紙幣が含まれる場合がある（同図の（Ａ−１）参照）。また、リジェクト紙幣の中には、識別部によって適正と識別されたにもかかわらず、入金可否判定部によって入金不可と判定されたリジェクト紙幣が含まれる場合もある（同図の（Ａ−２）参照）。
【００３３】
具体的には、同図の（Ｂ）に示したように、リジェクト紙幣は、識別部によって偽券あるいは損券と識別されたことがリジェクト原因となる以外にも、斜行や連鎖といった搬送異常によってたまたま識別できなかったことがリジェクト原因となる場合もある。
【００３４】
また、リジェクト紙幣は、識別部によって適正と識別された場合であっても、収納部が満杯または故障のため収納できなかったことがリジェクト原因となる場合や、紙幣処理装置の取り扱い対象外であることがリジェクト原因となる場合もある。
【００３５】
ここで、これらのリジェクト原因のうち、偽券や損券と識別されたこと、あるいは、取り扱い対象外であることをリジェクト原因とするリジェクト紙幣は、紙幣処理装置に対して再度投入したとしても適性に処理されることがない。しかし、斜行や連鎖といった搬送異常、あるいは、収納部の満杯または故障といった収納異常をリジェクト原因とするリジェクト紙幣は、本来的には適正な紙幣であるため、紙幣処理装置に対して再度投入することによって適正に処理される（すなわち、紙幣処理装置内へ収納される）可能性がある。
【００３６】
そこで、本発明に係る紙幣処理手法では、リジェクト紙幣を出金する場合に、リジェクト原因を特定し、特定したリジェクト原因に応じてリジェクト紙幣を区分けして出金することとした。具体的には、本発明に係る紙幣処理手法では、再投入しても適正に処理されることのない不適正リジェクト紙幣（同図の（Ｂ−１）参照）と、再投入によって適正に処理される可能性のある適正リジェクト紙幣（同図の（Ｂ−２）参照）とを区分けして出金することとした（同図の（Ｂ−３）参照）。
【００３７】
たとえば、同図の（Ｃ）に示したように、本発明に係る紙幣処理手法では、適正リジェクト紙幣を第１の出金口へ出金し（同図の（Ｃ−１）参照）、不適正リジェクト紙幣を第２の出金口へ出金することができる（同図の（Ｃ−２）参照）。このように、適正リジェクト紙幣および不適正リジェクト紙幣の出金先を異ならせることによって、オペレータが、適正リジェクト紙幣のみを容易に取り出すことができるため、再入金作業を効率的に行うことが可能となる。
【００３８】
なお、適正リジェクト紙幣と不適正リジェクト紙幣とを１つの出金口を用いて区分けすることも可能である。たとえば、紙幣処理装置に対して紙幣の表裏を反転させる機能を設けることとすれば、適正リジェクト紙幣を表向きで出金し、不適正リジェクト紙幣を裏向きで出金することによってこれらを区分けすることも可能である。また、適正リジェクト紙幣と不適正リジェクト紙幣とを左右方向にずらして出金したり、適正リジェクト紙幣と不適正リジェクト紙幣とで縦横の向きを変えて出金したりすることによってもこれらを区分けすることができる。
【００３９】
このように、本発明に係る紙幣処理手法では、リジェクト原因に基づいてリジェクト紙幣を区分けして出金することとした。特に、本発明に係る紙幣処理手法では、再投入によって適正に処理される可能性のある適正リジェクト紙幣と、再投入しても入金される可能性のない不適正リジェクト紙幣とに区分けして出金することとしたため、オペレータによるリジェクト紙幣の再入金作業を効率化することができる。
【００４０】
ところで、搬送異常をリジェクト原因とするリジェクト紙幣は、出金口から取り出して再投入しさえすれば適正に処理されることとなるが、収納異常をリジェクト原因とするリジェクト紙幣は、収納部の異常を解消したうえで再投入する必要がある。また、たとえば適正リジェクト紙幣が千円札であり、不適正リジェクト紙幣が千円札の偽券である場合のように、どのリジェクト紙幣が適正リジェクト紙幣であるかが一見しただけではわからない場合もある。
【００４１】
そこで、本発明に係る紙幣処理手法では、各リジェクト紙幣のリジェクト原因および各リジェクト紙幣の出金態様（たとえば、出金先など）を含んだリジェクト情報を表示部やスピーカといった報知手段を用いて報知することとしている。これによって、再入金作業を行うオペレータは、再投入の前に収納部の異常を解消する必要があることや、再投入すべき適正リジェクト紙幣がどこに出金されたか等を把握することができるため、再入金作業をより効率的に行うことが可能となる。
【００４２】
なお、リジェクト情報は、紙幣処理装置に設けられた表示部やスピーカを用いて報知してもよいし、紙幣処理装置と接続される操作用端末から報知させてもよい。ここで、操作用端末としては、主に紙幣処理装置の操作制御や状態確認のみを行う端末装置（たとえば、パーソナルコンピュータ）であってもよいし、紙幣処理装置を含む複数の装置と接続し、各装置の管理を行ったり各装置からデータを収集したりする上位端末（たとえば、サーバや専用装置）であってもよい。なお、以下の実施例では、操作用端末の一例として、上位端末を用いて説明することとする。
【００４３】
また、ここでは、適正リジェクト紙幣と不適正リジェクト紙幣とを区分けする場合について説明したが、これに限ったものではない。すなわち、どのリジェクト紙幣をどのリジェクト紙幣と区分けするか、あるいは、どのリジェクト紙幣をどの出金口へ出金させるかといったリジェクト紙幣の区分け方は、オペレータ等の利用者が任意に設定可能である。
【００４４】
たとえば、適正リジェクト紙幣をさらに区分けし出金させてもよい。すなわち、搬送異常をリジェクト原因とする適正リジェクト紙幣を第１の出金口へ出金し、収納異常を原因とするリジェクト紙幣を第２の出金口へ出金するといったことも可能である。同様に、不適正リジェクト紙幣をさらに区分けして出金させてもよい。すなわち、偽券や損券等の不適正リジェクト紙幣を第１の出金口へ出金し、取り扱い対象外の不適正リジェクト紙幣を第２の出金口へ出金するといったことも可能である。
【００４５】
以下では、図１を用いて説明した紙幣処理手法を適用した紙幣処理装置および紙幣処理方法についての実施例を詳細に説明する。なお、以下では、紙幣処理装置の一例として、紙幣の入出金処理を行う紙幣処理装置を用いて説明する。ただし、本発明に係る紙幣処理装置は、紙幣の入金処理のみを行う紙幣処理装置に対しても適用することができる。
【実施例】
【００４６】
図２は、本実施例に係る紙幣処理装置の全体構成を示す図である。同図に示すように、本実施例に係る紙幣処理装置１は、識別計数部１１と、入金口１２と、出金口１３と、入金リジェクト口１４と、一時保留部１５と、搬送部１６と、搬送異常検知センサ１７、収納部１８および集積部１９等を備えている。
【００４７】
識別計数部１１は、搬送部１６によって搬送される紙幣を識別する紙幣識別ユニットである。具体的には、識別計数部１１は、搬送部１６によって搬送される紙幣に対して金種判定、真偽判定、正損判定、表裏判定といった各種の鑑別を行う。また、識別計数部１１は、識別した紙幣を金種ごとに計数する処理も併せて行う。なお、真偽判定とは、紙幣が本物か偽物かを判定することを示し、正損判定とは、本物の紙幣のうち状態のよい紙幣（正券）か汚れや損傷がある紙幣（損券）かを判定することを示す。
【００４８】
入金口１２は、装置の天面を凹状に窪ませて開口を形成したボックスであり、ボックス内またはその近傍に設けられたローラ等の繰り込み部によって入金紙幣を１枚ずつ装置内部の搬送部１６へと繰り込む。なお、入金紙幣の繰り込み開始は、手動で行ってもよいし自動で行ってもよい。
【００４９】
出金口１３は、入金口１２と同様に開口が形成されたボックスであり、オペレータからの出金指示に応じて装置内部から投出される出金紙幣を集積する。また、本実施例において、出金口１３は、リジェクト紙幣の出金先の１つとしても利用される。
【００５０】
入金リジェクト口１４は、リジェクト紙幣を集積する出金口である。このように、本実施例に係る紙幣処理装置１では、リジェクト紙幣の出金先として、出金口１３および入金リジェクト口１４の２つの出金口を利用することとしている。そして、本実施例に係る紙幣処理装置１は、適正リジェクト紙幣と不適正リジェクト紙幣とをこれら２つの出金口へ区分けして出金する。かかる点の詳細については、後述する。
【００５１】
一時保留部１５は、入金口１２や出金口１３と同様に開口が形成されたボックスであり、搬送部１６によって搬送される紙幣を繰り入れて一時的に保留するとともに保留した紙幣を繰り出し可能な収納繰出部である。また、一時保留部１５は、搬送部１６によって搬送される紙幣をスイッチバックさせて搬送部１６へ戻すことによって紙幣の表裏を反転させることができる。なお、一時保留部１５の具体的な構成および動作については、図６を用いて後述する。
【００５２】
搬送部１６は、紙幣を表裏両側から挟持して一枚ずつ搬送するベルトコンベアおよびかかるベルトコンベアの駆動部を含んだ搬送部である。具体的には、搬送部１６は、識別計数部１１、入金口１２、出金口１３、入金リジェクト口１４、一時保留部１５、後述するスタッカ１８ａ〜１８ｅ、精査カセット１８ｆおよび集積部１９をベルトコンベアによって相互に接続し、これら各部の間で紙幣の搬送を行う。
【００５３】
また、ベルトコンベアの駆動部は、ベルトコンベアを駆動させるためのローラや搬送部１６の各分岐点に設けられる経路切替部等を含んでいる。ここで、経路切替部は、搬送部１６によって搬送される紙幣をそのまま搬送部１６の下流側へ搬送させる位置と、搬送部１６に接続される各部（たとえば、出金口１３や入金リジェクト口１４）へ搬送させる位置との間で揺動することで、紙幣を所望の場所へ投出させることができる。
【００５４】
搬送異常検知センサ１７は、斜行や連鎖といった紙幣の搬送異常を検知するセンサであり、搬送部１６に沿って複数設けられている。かかる搬送異常検知センサ１７は、紙幣が搬送方向に対して所定量以上傾いている場合に紙幣が斜行状態であることを検知し、他の紙幣との間隔が所定間隔以下である場合に紙幣が連鎖状態であることを検知する。かかる搬送異常検知センサ１７の具体的な検知手法については、図５を用いて後述する。
【００５５】
収納部１８は、搬送部１６によって搬送される紙幣を金種ごとに収納する複数のスタッカ１８ａ〜１８ｅと精査カセット１８ｆとを有している。スタッカ１８ａ〜１８ｅは、紙幣を金種ごとに収納するカセット式の収納部である。また、スタッカ１８ａ〜１８ｅは、収納した紙幣を搬送部１６へ繰り出すための繰出機構を備えている。また、各スタッカ１８ａ〜１８ｅには、満杯や故障といった収納異常を報知するランプ等のインジケータが設けられている。
【００５６】
ここで、本実施例では、スタッカ１８ａに千円札、スタッカ１８ｂに二千円札、スタッカ１８ｃに五千円札、スタッカ１８ｄに一万円札がそれぞれ収納されるものとする。ただし、どのスタッカにどの金種の紙幣を収納するかは、オペレータによって任意に設定可能である。
【００５７】
精査カセット１８ｆは、紙幣処理装置１に対して脱着可能な現金カセットであり、紙幣詰まりなどが原因でスタッカ１８ａ〜１８ｅの収納枚数が不確定となった場合にそのスタッカ１８ａ〜１８ｅの収納枚数を精査する際に利用される。なお、精査カセット１８ｆは、スタッカ１８ａ〜１８ｅと同様に紙幣を収納するとともに収納した紙幣を搬送部１６へ繰り出すこともできる。
【００５８】
集積部１９は、収納部１８とは異なり、紙幣の収納のみを行う収納部である。この集積部１９には、たとえば、営業終了後において売上金等が収納されることとなる。
【００５９】
また、本実施例に係る紙幣処理装置１は、ＷＡＮ（Ｗｉｄｅ  Ａｒｅａ  Ｎｅｔｗｏｒｋ）等のネットワーク３を介して上位端末２と相互に接続されている。上位端末２は、サーバや専用装置といった端末装置であり、紙幣処理装置１の管理を行う。たとえば、上位端末２は、識別計数部１１による識別結果や計数結果をネットワーク３を介して受信し記憶する。また、上位端末２は、表示部を備えており、紙幣処理装置１からリジェクト情報を受信して表示部へ表示させることもできる。
【００６０】
次に、本実施例に係る紙幣処理装置１の機能構成について図３を用いて説明する。図３は、本実施例に係る紙幣処理装置１の機能構成を示すブロック図である。ここで、同図に示した鎖線は、搬送部１６によって搬送される紙幣の流れを示している。なお、同図には、紙幣処理装置１の特徴を説明するために必要な構成要素のみを示しており、一般的な構成要素についての記載を省略している。
【００６１】
同図に示すように、本実施例に係る紙幣処理装置１は、識別計数部１１と、出金口１３と、入金リジェクト口１４と、一時保留部１５と、搬送部１６と、搬送異常検知センサ１７と、収納部１８と、表示部２０と、収納異常検知センサ２１と、制御部２２とを備えている。また、制御部２２は、入金可否判定部２２ａと、入金処理部２２ｂと、リジェクト原因特定部２２ｃと、出金処理部２２ｄとを備えている。
【００６２】
ここで、識別計数部１１、出金口１３、入金リジェクト口１４、一時保留部１５、搬送部１６、搬送異常検知センサ１７および収納部１８については、図２において既に説明したため、ここでの説明は省略する。
【００６３】
表示部２０は、各種情報を提示する表示デバイスである。たとえば、表示部２０には、各リジェクト紙幣のリジェクト原因および各リジェクト紙幣の出金態様を含んだリジェクト情報が表示される。ここで、リジェクト紙幣の出金態様とは、リジェクト紙幣の出金先（たとえば、出金口１３、入金リジェクト口１４）や出金されるリジェクト紙幣の向き（たとえば、縦向き、横向き）などを示す。
【００６４】
なお、リジェクト情報は、紙幣処理装置１の表示部２０に限らず、紙幣処理装置１と接続する上位端末２の表示部へ表示させてもよい。また、紙幣処理装置１の表示部２０や上位端末２の表示部には、識別計数部１１による識別結果や計数結果を表示させてもよい。
【００６５】
収納異常検知センサ２１は、収納部１８の収納異常を検知するセンサであり、各スタッカ１８ａ〜１８ｅにそれぞれ設けられている。具体的には、収納異常検知センサ２１は、スタッカ１８ａ〜１８ｅが満杯となったことを収納異常として検知する。また、収納異常検知センサ２１は、対応するスタッカが紙幣詰まり等によって紙幣を収納可能な状態ではなくなったことを収納異常として検知する。
【００６６】
制御部２２は、入金可否判定、入金処理、リジェクト原因特定処理および出金処理等の処理を実行する処理部である。なお、制御部２２は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などの集積回路、または、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）などの電子回路である。
【００６７】
入金可否判定部２２ａは、識別計数部１１による識別結果に基づいて紙幣の入金の可否を判定する処理部である。
【００６８】
たとえば、入金可否判定部２２ａは、識別計数部１１によって紙幣が適正と識別された場合に、かかる紙幣の金種に対応するスタッカ１８ａ〜１８ｅの収納異常が収納異常検知センサ２１によって検知されていなければ、かかる紙幣を入金可と判定する。そして、入金可否判定部２２ａは、紙幣を入金可と判定した場合には、入金処理の実行指示を識別計数部１１によって識別された紙幣の金種に関する情報とともに入金処理部２２ｂへ通知する。
【００６９】
一方、入金可否判定部２２ａは、識別計数部１１によって紙幣が適正と識別された場合に、かかる紙幣の金種に対応するスタッカ１８ａ〜１８ｅの収納異常が収納異常検知センサ２１によって検知されているならば、かかる紙幣を入金不可と判定する。かかる紙幣を収納すべきスタッカ１８ａ〜１８ｅが紙幣を収納可能な状態にないためである。
【００７０】
そして、入金可否判定部２２ａは、かかるリジェクト紙幣に関する識別計数部１１の識別結果および収納異常検知センサ２１の検知結果をリジェクト原因特定部２２ｃに対して通知する。
【００７１】
また、入金可否判定部２２ａは、識別計数部１１によって紙幣が適正と識別された場合であっても、かかる紙幣の金種が取り扱い対象外の金種である場合には、かかる紙幣を入金不可と判定する。そして、入金可否判定部２２ａは、かかるリジェクト紙幣に関する識別計数部１１の識別結果をリジェクト原因特定部２２ｃに対して通知する。なお、取り扱い対象外の金種としては、たとえば、自装置がＵＳドルのみを取り扱う場合には、ＵＳドル以外の金種が取り扱い対象外の金種となる。
【００７２】
また、入金可否判定部２２ａは、識別計数部１１によって紙幣が偽券や損券あるいは識別不能券と識別された場合には、かかる紙幣を入金不可と判定する。そして、入金可否判定部２２ａは、かかるリジェクト紙幣に関する識別計数部１１の識別結果および搬送異常検知センサ１７の検知結果をリジェクト原因特定部２２ｃに対して通知する。これは、識別不能券と識別された紙幣の中に、斜行や連鎖といった搬送異常によって識別不能とされた紙幣も含まれる場合があるためである。
【００７３】
入金処理部２２ｂは、入金可否判定部２２ａからの指示に従って紙幣の入金処理を実行する処理部である。具体的には、入金処理部２２ｂは、入金可否判定部２２ａから入金処理の実行指示を受け取ると、搬送部１６の経路切替部を駆動させることによって紙幣を識別計数部１１によって識別された金種に応じたスタッカ１８ａ〜１８ｅへ収納する。
【００７４】
リジェクト原因特定部２２ｃは、入金可否判定部２２ａによって入金不可と判定されたリジェクト紙幣のリジェクト原因を特定する処理部である。
【００７５】
具体的には、リジェクト原因特定部２２ｃは、入金可否判定部２２ａからリジェクト紙幣に関する識別計数部１１の識別結果および収納異常検知センサ２１の検知結果を受け取る。そして、リジェクト原因特定部２２ｃは、受け取った情報において、リジェクト紙幣が適正な紙幣であり、かつ、リジェクト紙幣の金種に対応するスタッカ１８ａ〜１８ｅが収納異常状態であることが示されている場合に、かかるリジェクト紙幣のリジェクト原因が収納異常であると特定する。
【００７６】
また、リジェクト原因特定部２２ｃは、入金可否判定部２２ａからリジェクト紙幣に関する識別計数部１１の識別結果および搬送異常検知センサ１７の検知結果を受け取る。そして、リジェクト原因特定部２２ｃは、受け取った情報において、リジェクト紙幣が識別不能券であり、かつ、リジェクト紙幣の搬送状態が異常であったことが示されている場合に、かかるリジェクト紙幣のリジェクト原因が搬送異常であると特定する。
【００７７】
また、リジェクト原因特定部２２ｃは、入金可否判定部２２ａからリジェクト紙幣に関する識別計数部１１の識別結果を受け取る。そして、リジェクト原因特定部２２ｃは、受け取った情報によって、リジェクト紙幣の金種が取り扱い対象外の金種であることが示されている場合に、かかるリジェクト紙幣のリジェクト原因が取り扱い対象外であると特定する。
【００７８】
そして、リジェクト原因特定部２２ｃは、特定したリジェクト原因およびリジェクト紙幣の出金指示を出金処理部２２ｄに対して通知する。
【００７９】
出金処理部２２ｄは、リジェクト原因特定部２２ｃから出金指示を受け取った場合に、リジェクト原因特定部２２ｃによって特定されたリジェクト原因に基づいてリジェクト紙幣を区分けして出金する処理部である。
【００８０】
ここで、出金処理部２２ｄによる出金処理の動作例について説明する。まず、収納異常によるリジェクト紙幣の出金先を区分けする場合の動作例について図４を用いて説明する。図４は、収納異常によるリジェクト紙幣の出金先を区分けする場合の動作例を示す図である。
【００８１】
なお、同図では、千円札用のスタッカ１８ａに収納異常が生じた場合を例に挙げて説明する。すなわち、同図では、収納異常によるリジェクト紙幣が千円札である場合について示している。また、同図の（Ａ）には、出金処理部２２ｄの動作例を示し、同図の（Ｂ）には、リジェクト情報の表示例を示し、同図の（Ｃ）には、収納異常によるリジェクト紙幣が再投入される様子を示している。
【００８２】
同図の（Ａ）に示したように、入金口１２に対して千円札を含む複数の紙幣が受け付けられたとする（同図の（Ａ−１）参照）。かかる場合、紙幣処理装置１では、識別計数部１１が、入金口１２に投入された紙幣を１枚ずつ識別計数し（同図の（Ａ−２）参照）、入金可否判定部２２ａが識別結果に基づいて紙幣の入金可否を判定する。
【００８３】
ここで、紙幣処理装置１では、入金可否判定部２２ａによって紙幣が入金可と判定された場合には、入金処理部２２ｂが、かかる紙幣を金種に応じてスタッカ１８ａ〜１８ｅの何れかへ収納する（図示せず）。
【００８４】
一方、紙幣処理装置１では、入金可否判定部２２ａによって紙幣が入金不可と判定された場合に、リジェクト原因特定部２２ｃが、かかるリジェクト紙幣のリジェクト原因を特定する。ここで、リジェクト原因特定部２２ｃは、識別計数部１１によって識別された紙幣が千円札であり、かつ、千円札用のスタッカ１８ａが満杯であることが収納異常検知センサ２１によって検知されている場合には（同図の（Ａ−３）参照）、かかる千円札のリジェクト原因が収納異常であると特定する。
【００８５】
そして、紙幣処理装置１では、リジェクト原因特定部２２ｃによって特定されたリジェクト原因が収納異常であるリジェクト紙幣（すなわち、千円札）を入金リジェクト口１４へ出金する（同図の（Ａ−４）参照）。また、紙幣処理装置１では、収納異常以外のリジェクト原因によるリジェクト紙幣（たとえば、損券）を出金口１３へ出金する（同図の（Ａ−５）参照）。
【００８６】
これによって、収納異常によるリジェクト紙幣である千円札は、他のリジェクト原因によるリジェクト紙幣とは異なる出金先へ出金されることとなる。
【００８７】
つづいて、出金処理部２２ｄは、同図の（Ｂ）に示したように、表示部２０に対してリジェクト情報を表示させる。たとえば、出金処理部２２ｄは、「千円札のスタッカが満杯です。回収してください。」といった情報や「回収後、入金リジェクト口の紙幣を再投入してください。」といった情報をリジェクト情報として表示部２０に対して表示させる。このように、リジェクト情報には、リジェクト原因特定部２２ｃによって特定されたリジェクト原因、リジェクト紙幣の出金先情報を含んだ出金態様等が含まれる。
【００８８】
そして、オペレータは、表示部２０に対して表示されたリジェクト情報に従って、リジェクト紙幣の再入金作業を行うこととなる。具体的には、同図の（Ｃ）に示したように、オペレータは、千円札に対応するスタッカ１８ａから紙幣を回収したのち（同図の（Ｃ−１）参照）、入金リジェクト口１４に出金された千円札を取り出して入金口１２へ再投入する（同図の（Ｃ−２）参照）。この結果、入金口１２へ再投入された千円札は、入金可否判定部２２ａによって入金可と判定されて千円札用のスタッカ１８ａへ収納されることとなる（同図の（Ｃ−３）参照）。
【００８９】
なお、オペレータは、満杯となったスタッカ１８ａ〜１８ｅから紙幣を回収する際、あるいは、故障したスタッカ１８ａ〜１８ｅを交換する場合には、各スタッカ１８ａ〜１８ｅに設けられたインジケータを確認することで、どのスタッカ１８ａ〜１８ｅが収納異常となっているかを容易に把握することができる。また、スタッカ１８ａ〜１８ｅの収納異常は、インジケータで報知する場合に限らず、紙幣処理装置１と接続する上位端末２から報知してもよい。
【００９０】
このように、リジェクト原因特定部２２ｃが、リジェクト紙幣が識別計数部１１によって適正と識別されており、かつ、リジェクト紙幣の金種に対応する収納部１８の異常が収納異常検知センサ２１によって検知されている場合に、リジェクト紙幣のリジェクト原因が収納異常であると特定し、出金処理部２２ｄが、リジェクト原因が収納異常であると特定されたリジェクト紙幣を他のリジェクト原因のリジェクト紙幣と区分けして出金することとした。したがって、適正な紙幣であるにもかかわらず収納部の異常によって入金不可とされてしまったリジェクト紙幣の再入金作業を効率的に行うことができる。
【００９１】
また、出金処理部２２ｄが、リジェクト原因特定部２２ｃによって特定されたリジェクト原因をリジェクト紙幣の出金先を示す情報を含んだ出金態様とともに所定の報知手段を用いて報知することとしたため、リジェクト紙幣の再入金作業をより効率的に行うことができる。
【００９２】
なお、同図の（Ｂ）では、収納異常によるリジェクト紙幣のリジェクト情報のみを表示する場合について説明したが、出金処理部２２ｄは、他のリジェクト紙幣に関するリジェクト情報も表示させてもよい。また、出金処理部２２ｄは、かかるリジェクト情報をネットワーク３を介して接続される上位端末の表示部に対して表示させてもよい。
【００９３】
つづいて、搬送異常によるリジェクト紙幣の出金先を区分けする場合の動作例について図５を用いて説明する。図５は、搬送異常によるリジェクト紙幣の出金先を区分けする場合の動作例を示す図である。なお、同図の（Ａ）には、搬送異常検知センサ１７の検知手法について示し、同図の（Ｂ）には、出金処理部２２ｄの動作例について示している。
【００９４】
同図の（Ａ）に示すように、搬送異常検知センサ１７は、搬送部１６の搬送方向と直行する向きに配置された複数のセンサ１７ａ〜１７ｃを含んで構成され、これらのセンサ１７ａ〜１７ｃを用いて紙幣の斜行や連鎖といった搬送異常を検知する。
【００９５】
たとえば、同図の（Ａ−１）に示したように、搬送異常検知センサ１７は、紙幣通過時におけるセンサ１７ａ〜１７ｃの検知結果の時間変化を観察することによって紙幣の傾きを割り出すことができる。そして、搬送異常検知センサ１７は、割り出した紙幣の傾きが所定量以上である場合に、かかる紙幣が斜行状態であることを検知する。
【００９６】
また、同図の（Ａ−２）に示したように、搬送異常検知センサ１７は、センサ１７ａ〜１７ｃが紙幣を検知してから次の紙幣を検知するまでの時間から紙幣同士の間隔を割り出す。そして、搬送異常検知センサ１７は、割り出した間隔が所定間隔以下である場合に、かかる紙幣が連鎖状態であることを検知する。たとえば、搬送異常検知センサ１７は、紙幣間隔が６０ｍｍ以下である場合に、連鎖状態であることを検知する。
【００９７】
このように、搬送異常検知センサ１７は、紙幣が搬送方向に対して所定量以上傾いている場合に紙幣が斜行状態であることを検知し、他の紙幣との間隔が所定間隔以下である場合に紙幣が連鎖状態であることを検知する。
【００９８】
一方、リジェクト原因特定部２２ｃは、リジェクト紙幣が識別計数部１１によって識別不能券と識別されており、かつ、かかるリジェクト紙幣の搬送異常が搬送異常検知センサ１７によって検知されている場合に、かかるリジェクト紙幣のリジェクト原因が搬送異常であると特定する。
【００９９】
そして、出金処理部２２ｄは、同図の（Ｂ）に示したように、リジェクト原因特定部２２ｃによってリジェクト原因が搬送異常であると特定されたリジェクト紙幣を入金リジェクト口１４へ出金する（同図の（Ｂ−１）参照）。また、紙幣処理装置１では、リジェクト原因が搬送異常以外であるその他のリジェクト紙幣を出金口１３へ出金する（同図の（Ｂ−２）参照）。
【０１００】
このように、リジェクト原因特定部２２ｃが、リジェクト紙幣が識別計数部１１によって不適正と識別されており、かつ、かかるリジェクト紙幣の搬送異常が搬送異常検知センサ１７によって検知されている場合に、リジェクト原因を搬送異常と特定し、出金処理部２２ｄが、前記リジェクト原因が搬送異常であると特定されたリジェクト紙幣を他のリジェクト原因のリジェクト紙幣と区分けして出金することとした。したがって、斜行や連鎖といった搬送異常が原因でたまたま入金不可とされてしまったリジェクト紙幣の再入金作業を効率的に行うことができるという効果を奏する。
【０１０１】
また、図４および図５を用いて説明してきたように、出金処理部２２ｄが、リジェクト原因が所定のリジェクト原因に該当する第１のリジェクト紙幣（たとえば、適正リジェクト紙幣）を一の出金口へ出金し、所定のリジェクト原因に該当しない第２のリジェクト紙幣（たとえば、不適正リジェクト紙幣）を他の出金口へ出金することとした。したがって、再度の投入によって入金可能な適正リジェクト紙幣と何度投入しても入金される可能性のない不適正リジェクト紙幣とが異なる出金口へ出金されるため、適正リジェクト紙幣の再入金作業を効率的に行うことができる。
【０１０２】
ところで、これまでは、出金口を複数設定し、リジェクト紙幣を何れかの出金口に振り分けて出金させることで、リジェクト紙幣を区分けする場合ついて説明してきたが、これに限ったものではない。たとえば、出金処理部２２ｄは、出金口が１つであってもリジェクト紙幣を区分けして出金することができる。以下では、かかる点について説明する。
【０１０３】
まず、リジェクト紙幣の表裏の向きを変えて出金させることによって、リジェクト紙幣を区分けする場合について説明する。かかる場合、出金処理部２２ｄは、一時保留部１５を利用してリジェクト紙幣の表裏の向きを適宜変えながら出金処理を行うこととなる。
【０１０４】
ここで、一時保留部１５による表裏反転処理の動作例について図６を用いて説明しておく。図６は、一時保留部による表裏反転処理の動作例を示す図である。なお、同図の（Ａ）には、紙幣を一時保留部１５へ繰り入れる場合の動作例を示し、同図の（Ｂ）には、一時保留部１５から紙幣を繰り出す場合の動作例を示している。
【０１０５】
同図の（Ａ）に示したように、一時保留部１５は、スイッチバック経路１５ａと、テープ式巻取部１５ｂとを備える。スイッチバック経路１５ａは、搬送部１６から分岐する経路であり、搬送部１６とテープ式巻取部１５ｂとを接続している。ここで、搬送部１６を搬送される紙幣は、スイッチバック経路１５ａへ一旦引き込まれたのち再度搬送部１６へ繰り出される（すなわち、スイッチバックされる）ことによって、表裏が反転した状態で搬送部１６へ戻されることとなる。なお、スイッチバック経路１５ａは、搬送部１６と入金リジェクト口１４とを接続する経路でもある。
【０１０６】
テープ式巻取部１５ｂは、回転ドラム１５１と、上部プーリ１５２と、下部プーリ１５３と、テープ１５４，１５５とを含んで構成される。回転ドラム１５１は、正逆回転自在に軸支された回転部材であり、周縁には２つのテープ１５４，１５５が巻き付けられている。また、上部プーリ１５２は、２つのテープ１５４，１５５のうち、テープ１５４を巻き取る部材であり、下部プーリ１５３は、テープ１５５を巻き取る部材である。
【０１０７】
テープ式巻取部１５ｂに紙幣を保留させる場合には、回転ドラム１５１が正方向（同図の（Ａ）に示した矢印方向）に回転し、スイッチバック経路１５ａを介して繰り込まれる紙幣をテープ１５４，１５５間に挟み込んだ状態で回転ドラム１５１の周面に巻き付けて保持する（同図の（Ａ−１）〜（Ａ−３）参照）。
【０１０８】
一方、テープ式巻取部１５ｂから紙幣を繰り出す場合には、同図の（Ｂ）に示したように、回転ドラム１５１が逆方向（同図の（Ｂ）に示した矢印方向）に回転し、テープ１５４，１５５間に挟持されていた紙幣をスイッチバック経路１５ａへ繰り出す。そして、テープ式巻取部１５ｂによってスイッチバック経路１５ａへ繰り出された紙幣は、搬送部１６から繰り入れられたときと表裏が反転した状態で搬送部１６へと戻される（同図の（Ｂ−１）〜（Ｂ−３）参照）。
【０１０９】
このように、一時保留部１５は、スイッチバック経路１５ａへ引き入れられた紙幣をテープ式巻取部１５ｂを用いて一時的に保留することができる。また、一時保留部１５は、一時的に保留した紙幣をスイッチバックさせて再び搬送部１６へと戻すことによって紙幣の表裏を反転させることができる。
【０１１０】
つづいて、かかる一時保留部１５を利用してリジェクト紙幣を区分けする場合の動作を図７を用いて説明する。図７は、一時保留部１５を利用してリジェクト紙幣を区分けする場合の動作例を示す図である。
【０１１１】
ここで、同図では、リジェクト原因特定部２２ｃによってリジェクト原因が搬送異常や収納異常であると特定された適正リジェクト紙幣を表向きで、その他の不適正リジェクト紙幣を裏向きで入金リジェクト口へ出金させる場合を例に挙げて説明する。なお、同図の（Ａ）には、出金処理部２２ｄの動作例を示し、同図の（Ｂ）には、一時保留部１５の動作例を示している。
【０１１２】
同図の（Ａ）に示したように、出金処理部２２ｄは、適正リジェクト紙幣のうち、識別計数部１１によって表向きと判定された適正リジェクト紙幣を入金リジェクト口１４へ出金する。同様に、出金処理部２２ｄは、不適正リジェクト紙幣のうち、識別計数部１１によって裏向きと判定された不適正リジェクト紙幣も入金リジェクト口１４へ出金する（同図の（Ａ−１）参照）。
【０１１３】
また、出金処理部２２ｄは、適正リジェクト紙幣のうち、識別計数部１１によって裏向きと判定された適正リジェクト紙幣を一時保留部１５を用いて一時保留する。同様に、出金処理部２２ｄは、不適正リジェクト紙幣のうち、識別計数部１１によって表向きと判定された不適正リジェクト紙幣も一時保留部１５を用いて一時保留する（同図の（Ａ−２）参照）。
【０１１４】
つづいて、紙幣処理装置１では、一時保留部１５が、一時保留していた適正リジェクトおよび不適正リジェクト紙幣を表裏を反転させたうえで入金リジェクト口１４へ繰り出す（同図の（Ｂ−１）参照）。これによって、一時保留部１５によって一時保留されていた適正リジェクト紙幣は、表向きに反転されて入金リジェクト口１４へ出金されることとなる。同様に、一時保留部１５によって一時保留されていた不適正リジェクト紙幣も、裏向きに反転されて入金リジェクト口１４へ出金されることとなる（同図の（Ｂ−２）参照）。
【０１１５】
この結果、入金リジェクト口１４には、適正リジェクト紙幣が表向きで、不適正リジェクト紙幣が裏向きで集積される。
【０１１６】
このように、出金処理部２２ｄが、第１のリジェクト紙幣（たとえば、適正リジェクト紙幣）を表向きまたは裏向きの何れかの向きで出金することを決定するとともに、第２のリジェクト紙幣（たとえば、不適正リジェクト紙幣）を第１のリジェクト紙幣とは逆向きで出金することを決定する。また、一時保留部１５が、識別計数部１１によって識別された表裏の向きと出金処理部２２ｄによって決定された表裏の向きとが異なる場合に、リジェクト紙幣の表裏を反転させたうえでかかるリジェクト紙幣を出金することとした。
【０１１７】
したがって、再度の投入によって入金可能な適正リジェクト紙幣と何度投入しても入金されることのない不適正リジェクト紙幣とを異なる向きで出金させることができる結果、適正リジェクト紙幣の再入金作業を効率的に行うことができる。
【０１１８】
なお、ここでは、一時保留部１５を表裏反転のために利用する場合について説明したが、一時保留部１５をリジェクト紙幣を一時保留する用途で利用してもよい。たとえば、全ての適正リジェクト紙幣を一時保留部１５に一時保留させるとともに、全ての不適正リジェクト紙幣を入金リジェクト口１４へ出金させる。そして、その後、一時保留部１５に一時保留させた適正リジェクト紙幣を入金リジェクト口１４へ出金させることとしてもよい。これによって、適正リジェクト紙幣と不適正リジェクト紙幣とを並び替えによって区分けして出金することができる。
【０１１９】
また、ここでは、リジェクト紙幣を入金リジェクト口１４へ出金することとしたが、これに限らず、リジェクト紙幣を出金口１３へ出金することとしてもよいし、入金リジェクト口１４および出金口１３の両方へ出金することとしてもよい。また、一時保留部１５を用いてリジェクト紙幣を一時保留し、入金口１２内の全ての紙幣を投出し終えた後に、一時保留部１５に一時保留していたリジェクト紙幣を入金口１２へ出金してもよい。
【０１２０】
つづいて、リジェクト紙幣を左右方向にずらして出金したり、縦横の向きを変えて出金したりすることによってリジェクト紙幣を区分けする場合について図８を用いて説明する。図８は、出金処理部２２ｄの他の動作例を示す図である。なお、同図の（Ａ）には、リジェクト紙幣を左右方向にずらして出金する場合の動作例を示し、同図の（Ｂ）には、リジェクト紙幣の縦横の方向を変えて出金する場合の動作例を示している。
【０１２１】
同図の（Ａ）に示したように、入金リジェクト口１４近傍の搬送部１６上には、経路切替部２３が設けられている。かかる経路切替部２３は、搬送される紙幣を搬送部１６に対して直進させる直進経路と、搬送される紙幣を直進経路と直行する方向（左右方向）にずらしたうえで直進させるずらし経路との間で経路の切り替えを行う。
【０１２２】
そして、出金処理部２２ｄは、不適正リジェクト紙幣を出金させる場合には、かかる不適正リジェクト紙幣を直進経路で搬送させるよう経路切替部２３に対して指示する。この結果、不適正リジェクト紙幣は、搬送部１６に沿って直進して入金リジェクト口１４へ出金される（同図の（Ａ−１）参照）。
【０１２３】
一方、出金処理部２２ｄは、適正リジェクト紙幣を出金させる場合には、かかる適正リジェクト紙幣をずらし経路で搬送させるよう経路切替部２３に対して指示する。この結果、経路切替部２３によってずらし経路への切り替えが行われ、適正リジェクト紙幣は、ずらし経路に沿って左右方向にずらされて入金リジェクト口１４へ出金される（同図の（Ａ−２）参照）。
【０１２４】
この結果、適正リジェクト紙幣と不適正リジェクト紙幣とは、入金リジェクト口１４に左右方向がずれた状態で集積されることとなる（同図の（Ａ−３）参照）。
【０１２５】
また、同図の（Ｂ）に示したように、入金リジェクト口１４近傍の搬送部１６上には、ピンチローラ２４を設けてもよい。具体的には、ピンチローラ２４は、搬送方向と直行する方向に沿って２つのローラを備えており、紙幣の通過時に一方のローラを用いて紙幣を挟持することによって斜行状態の矯正等を行うことができる。
【０１２６】
そして、出金処理部２２ｄは、不適正リジェクト紙幣を出金させる場合には、これら２つのローラを何れも非挟持状態とするようピンチローラ２４に対して指示する。この結果、不適正リジェクト紙幣は、長手方向と搬送方向とが直行した状態で入金リジェクト口１４へ出金される（同図の（Ｂ−１）参照）。
【０１２７】
一方、出金処理部２２ｄは、適正リジェクト紙幣を出金させる場合には、これら２つのローラの何れか一方を所定時間だけ所定の力で挟持状態とするようピンチローラ２４に対して指示する。この結果、適正リジェクト紙幣は、ローラに挟持された部分を始点として９０度回転したのち、短手方向と搬送方向とが直行した状態で入金リジェクト口１４へ出金される（同図の（Ｂ−２）参照）。なお、ここで言う「所定時間」とは、たとえば、紙幣が９０度回転するまでの時間であり、「所定の力」とは、たとえば、紙幣を破ることなく回転させることができる程度の力である。
【０１２８】
この結果、適正リジェクト紙幣と不適正リジェクト紙幣とは、入金リジェクト口１４に縦横の方向が異なった状態で集積されることとなる（同図の（Ｂ−３）参照）。
【０１２９】
このように、リジェクト紙幣を左右方向にずらしたり縦横の向きを変えたりすることによってもリジェクト紙幣を区分けすることができる。
【０１３０】
この他、紙幣処理装置１では、搬送部１６上に印字部を設け、不適正リジェクト紙幣に対してのみ所定の印字を行ったうえで出金させるようにしてもよい。これによっても適正リジェクト紙幣と不適正リジェクト紙幣とを区分けして出金することができる。かかる場合に、不適正リジェクト紙幣に対してリジェクト原因を印字することとすれば、不適正リジェクト紙幣が偽券であるか損券であるかといったことを容易に把握することができる。
【０１３１】
次に、本実施例に係る紙幣処理装置１の具体的動作について図９を用いて説明する。図９は、本実施例に係る紙幣処理装置１の処理手順を示すフローチャートである。なお、同図では、一例として、収納異常によるリジェクト紙幣を他のリジェクト紙幣と区分けして出金する場合について示している。
【０１３２】
同図に示すように、本実施例に係る紙幣処理装置１では、識別計数部１１が紙幣の識別処理を行うと（ステップＳ１０１）、入金可否判定部２２ａが、入金の可否を判定する（ステップＳ１０２）。つづいて、紙幣処理装置１では、入金可否判定部２２ａが、紙幣を入金可と判定した場合に（ステップＳ１０３、Ｙｅｓ）、入金処理部２２ｂが、識別結果に応じて紙幣を金種ごとのスタッカ１８ａ〜１８ｅへ収納する（ステップＳ１０４）。
【０１３３】
一方、紙幣処理装置１では、入金可否判定部２２ａが、紙幣を入金不可と判定した場合には（ステップＳ１０３、Ｎｏ）、リジェクト原因特定部２２ｃが、かかるリジェクト紙幣のリジェクト原因を特定する（ステップＳ１０５）。
【０１３４】
つづいて、紙幣処理装置１では、リジェクト原因特定部２２ｃが、リジェクト原因が収納異常であるか否かを判定し（ステップＳ１０６）、リジェクト原因が収納異常であると判定した場合には（ステップＳ１０６、Ｙｅｓ）、出金処理部２２ｄが、かかるリジェクト紙幣を入金リジェクト口１４へ出金する（ステップＳ１０７）。
【０１３５】
一方、リジェクト原因が収納異常ではない場合には（ステップＳ１０６、Ｎｏ）、出金処理部２２ｄは、かかるリジェクト紙幣を出金口１３へ出金する（ステップＳ１０８）。
【０１３６】
ステップＳ１０４、Ｓ１０７またはステップＳ１０８の処理を終えると、紙幣処理装置１では、入金口１２へ投入された全ての紙幣を識別済みか否かを判定し（ステップＳ１０９）、識別済みでない場合には（ステップＳ１０９、Ｎｏ）、ステップＳ１０１〜Ｓ１０９までの処理を繰り返す。
【０１３７】
一方、紙幣処理装置１では、入金口１２へ投入された全ての紙幣を識別済みであると判定した場合には（ステップＳ１０９、Ｙｅｓ）、投入された紙幣の中に収納異常によるリジェクト紙幣が含まれていたか否かを判定する（ステップＳ１１０）。そして、紙幣処理装置１では、収納異常によるリジェクト紙幣が含まれていると判定した場合には（ステップＳ１１０、Ｙｅｓ）、リジェクト情報を表示部２０に対して表示させて（ステップＳ１１１）、処理を終了する。また、紙幣処理装置１では、収納異常によるリジェクト紙幣が含まれていない場合には（ステップＳ１１０、Ｎｏ）、そのまま処理を終了する。
【０１３８】
上述してきたように、本実施例では、識別計数部が、投入された紙幣を識別し、入金可否判定部が、識別計数部による紙幣の識別結果に基づいて紙幣の入金の可否を判定し、リジェクト原因特定部が、入金可否判定部によって入金不可と判定されたリジェクト紙幣のリジェクト原因を特定し、出金処理部が、リジェクト原因特定部によって特定されたリジェクト原因に基づいてリジェクト紙幣を区分けして出金することとしたため、リジェクト紙幣の再入金作業を効率的に行うことができる。
【０１３９】
なお、図９では、収納異常によるリジェクト紙幣が存在する場合にのみリジェクト情報を表示することとしたが、これに限ったものではなく、リジェクト紙幣が存在する場合には、常にリジェクト情報を表示することとしてもよい。
【０１４０】
また、上述してきた実施例では、表裏判定手段の一例として一時保留部１５を用いて説明したが、これに限ったものではなく、スタッカ１８ａ〜１８ｅの何れかを表裏反転手段として利用してもよい。
【０１４１】
また、上述してきた実施例では、いわゆるテープ式の収納部であるテープ式巻取部１５ｂを用いて紙幣を一時的に保留するとともに再度搬送部１６へ繰り出す場合について説明したが、保留した紙幣を再度繰り出し可能であればよく、たとえば、スタッカ１８ａ〜１８ｅと同様にスタッカ式の収納部を用いてもよい。
【０１４２】
ところで、搬送部１６のジャムや破損といった障害から紙幣処理装置１を復旧させた場合や、搬送部１６の保守点検等を行う場合に、紙幣またはダミー紙幣を投入し搬送部１６上を一巡させることによって、搬送部１６に残留紙幣等の有無や破損といった不具合が存在するか否かを判定する技術が知られている。
【０１４３】
一方、図２に示したように、本実施例に係る紙幣処理装置１は、搬送部１６がループ状となっている。そこで、本実施例に係る紙幣処理装置１では、紙幣またはダミー紙幣を単に一巡させるのではなく、搬送部１６を複数回周回させることによって、搬送部１６の搬送状態等を統計的に判断することができる。
【０１４４】
たとえば、保守点検時においてオペレータが紙幣またはダミー紙幣を入金口１２から１枚投入すると、紙幣処理装置１は、投入された紙幣またはダミー紙幣を搬送部１６上で複数回周回させる。また、紙幣処理装置１は、搬送部１６上の各点に設けられた搬送異常検知センサ１７を用いて１周ごとの蛇行や斜行、周回時間等を測定する。
【０１４５】
そして、紙幣処理装置１は、１週ごとの測定結果の平均値等を算出し、算出した平均値等を用いて搬送部１６の不具合等を特定して、特定した不具合等をアラート情報として表示部２０等に対して表示させる。たとえば、紙幣処理装置１では、アラート情報として、ベルトやプーリの磨耗・破損、異物混入あるいは紙幣ガイドの破損等を表示部２０等に対して表示させる。
【０１４６】
このように、紙幣またはダミー紙幣を搬送させて搬送部１６の不具合等を特定する場合に、紙幣またはダミー紙幣を複数回周回させてその統計値を利用することとしたため、搬送部１６の不具合等をより精度良く特定することができる。
【０１４７】
なお、紙幣処理装置１は、使用されていないスタッカにダミー紙幣を収納しておき、所定期間ごとにかかるスタッカからダミー紙幣を繰り出して上記のような保守点検処理を行うこととしてもよい。これによって、オペレータの手を煩わせることなく保守点検処理を実行することができる。
【０１４８】
ところで、識別計数部１１のような紙幣識別ユニットは、汎用性を持たせるため、紙幣処理装置とは別体で製造されることが一般的である。ここで、紙幣識別ユニットでは、たとえば「ＵＳ，シリーズ０，＄１０」のように、「国」と「シリーズ」と「金種」とを含んだ識別機コードを紙幣の識別結果として生成して紙幣処理装置の制御部へ出力する。また、紙幣処理装置側でも、紙幣識別ユニットから入力された識別機コードをそのまま用いて入金処理等の各種処理を実行する場合が多い。
【０１４９】
しかしながら、紙幣処理装置１では、処理時間に制約があり、識別機コードのように多くの情報を含んだコードを取り扱うこととすると、既定時間内に処理が完了しないおそれがある。
【０１５０】
そこで、本実施例では、識別計数部１１が識別機コードよりも単純でデータ容量の小さい他のコードを用いて制御部２２へ出力することとしてもよい。以下では、かかる点について図１０を用いて説明する。図１０は、処理機コードに基づいて入出金処理を行う場合について説明するための図である。
【０１５１】
なお、同図の（Ａ）には、処理機コードに基づく入出金処理の概要を示し、同図の（Ｂ）には、処理機コードと識別機コードとの対応テーブルの一例を示し、同図の（Ｃ）には、処理機コードに基づく入金処理の動作例を示している。
【０１５２】
同図の（Ａ）に示したように、識別計数部１１は、紙幣の識別処理を行うと、識別結果を識別機コードではなく処理機コードで紙幣処理装置１の制御部２２へ出力する（同図の（Ａ−１）参照）。そして、制御部２２は、識別計数部１１から入力された処理機コードに基づいて入金処理を行う。また、制御部２２は、上位端末２等からの出金指示を処理機コードで受けた場合には、処理機コードに基づいて出金処理を行う（同図の（Ａ−２）参照）。
【０１５３】
ここで、紙幣処理装置１は、処理機コードと識別機コードとの対応関係を示した対応テーブルを記憶している。たとえば、同図の（Ｂ）に示したように、対応テーブルには、識別機コード「ＵＳ，シリーズ０，＄１」が、処理機コード「１」と対応づけられ、識別機コード「ＵＳ，シリーズ０，＄５」が、処理機コード「２」と対応づけられている。なお、かかる対応テーブルは、たとえば上位端末２によって作成され、紙幣処理装置１にダウンロードされるものとする。
【０１５４】
また、識別計数部１１は、識別コード「ＵＳ，シリーズ０，＄１」と識別コード「ＵＳ，シリーズ１，＄１」のように、国および金種が同一でシリーズのみが異なる紙幣も区別して識別する。かかる場合、処理機コードは、シリーズのみが異なる同一金種の紙幣（たとえば、新１ドル札と旧１ドル札）のそれぞれに対して割り当てられることとなる。すなわち、ここでは、紙幣処理装置１が、新旧紙幣を区別して処理することとなる。
【０１５５】
たとえば、同図の（Ｃ）に示したように、識別計数部１１が「ＵＳ，シリーズ０，＄１」の紙幣を識別すると、処理機コード「１」が識別計数部１１から制御部２２へ出力され、制御部２２が、かかる紙幣を処理機コード「１」に対応するスタッカＡへ収納させる（同図の（Ｃ−１）参照）。一方、識別計数部１１が「ＵＳ，シリーズ１，＄１」の紙幣を識別した場合には、処理機コード「７」が識別計数部１１から制御部２２へ出力され、制御部２２が、かかる紙幣を処理機コード「７」に対応するスタッカＢへ収納させる（同図の（Ｃ−１）参照）。
【０１５６】
このように、識別計数部１１が、識別機コードと比較してデータ容量の小さい処理機コードで識別結果を制御部２２へ出力し、制御部２２が、処理機コードを用いて入出金処理を行うこととした。これによって、紙幣処理装置１内部で処理するデータや、紙幣処理装置１と上位端末２との間で送受信されるデータの容量が小さくなる結果、処理速度を高めることができる。したがって、処理時間に厳しい制約がある場合であっても、既定時間内に処理が完了させることができる。
【０１５７】
また、対応テーブルを変更するだけで、紙幣の改札や識別計数部１１の変更等にも容易に対応することが可能となる。
【０１５８】
なお、シリーズの古い旧紙幣（ここでは、シリーズ０の紙幣）を出金用の紙幣として使用せずに回収しておきたい場合には、図１０の（Ｃ）に示したように、シリーズの古い紙幣を収納するスタッカＡを入金専用のスタッカとすればよい。
【０１５９】
また、同図では、新旧紙幣を区別して処理する場合について説明したが、これらは紙幣の価値としては同等であるため、これら新旧紙幣を区別せずに処理することとしてもよい。以下では、かかる点について図１１を用いて説明する。図１１は、新旧紙幣を区別せずに処理する場合について説明するための図である。なお、同図の（Ａ）には、旧紙幣の処理機コードを新紙幣の処理機コードへ置換するための置換テーブルの一例を示し、同図の（Ｂ）には、置換後の処理機コードに基づく入金処理の動作例を示している。
【０１６０】
同図の（Ａ）に示したように、紙幣処理装置１は、置換テーブルを記憶している。かかる置換テーブルは、旧紙幣の処理機コード（置換前処理機コード）と新紙幣の処理機コード（置換後処理機コード）とを対応付ける情報である。たとえば、置換テーブルには、旧紙幣の処理機コード「１」と新紙幣の処理機コード「７」とが対応付けられている。
【０１６１】
なお、同図の（Ａ）に示した置換テーブルも図１０の（Ｂ）に示した対応テーブルと同様、上位端末２によって作成され、紙幣処理装置１へダウンロードされるものである。このように、紙幣処理装置１および上位端末２間で対応テーブルや置換テーブルを共通化することによって、紙幣処理装置１が入金結果を上位端末２へ通知する場合の情報変換や上位端末２から紙幣処理装置１への出金指示情報の情報変換が容易となる。また、入金結果や出金指示の内容の妥当性確認も容易に行うことができる。
【０１６２】
紙幣処理装置１では、同図の（Ｂ）に示したように、識別計数部１１が、旧紙幣である「ＵＳ，シリーズ０，＄１」の紙幣を識別すると（同図の（Ｂ−１）参照）、処理機コード「１」が識別計数部１１から制御部２２へ出力される。また、紙幣処理装置１では、制御部２２が、処理機コード「１」を置換テーブルに従って処理機コード「７」へ置換する（同図の（Ｂ−２）参照）。そして、紙幣処理装置１では、制御部２２が、旧紙幣「ＵＳ，シリーズ０，＄１」を置換後の処理機コード「７」に対応するスタッカＢへ収納させる（同図の（Ｂ−３）参照）。
【０１６３】
また、紙幣処理装置１では、受け付けた紙幣が新紙幣「ＵＳ，シリーズ１，＄１」である場合には、図１０の（Ｃ）に示した場合と同様に、かかる新紙幣を処理機コード「７」に対応するスタッカＢへ収納させる。この結果、スタッカＢには、新旧紙幣が区別されることなく収納されることとなる（同図の（Ｂ−４）参照）。
【産業上の利用可能性】
【０１６４】
以上のように、本発明に係る紙幣処理装置は、リジェクト紙幣の再入金作業を効率的に行いたい場合に有用であり、特に、搬送異常や収納異常をリジェクト原因とする適正リジェクト紙幣の再入金作業を効率的に行いたい場合に適している。
【符号の説明】
【０１６５】
１    紙幣処理装置
１１    識別計数部
１２    入金口
１３    出金口
１４    入金リジェクト口
１５    一時保留部
１５ａ  スイッチバック経路
１５ｂ  テープ式巻取部
１５１    回転ドラム
１５２    上部プーリ
１５３    下部プーリ
１５４，１５５  テープ
１６    搬送部
１７    搬送異常検知センサ
１８    収納部
１８ａ〜１８ｅ  スタッカ
１８ｆ  精査カセット
１９  集積部
２０    表示部
２１    収納異常検知センサ
２２    制御部
２２ａ  入金可否判定部
２２ｂ  入金処理部
２２ｃ  リジェクト原因特定部
２２ｄ  出金処理部
【図１】
0005952380.tif 000002
【図２】
0005952380.tif 000003
【図３】
0005952380.tif 000004
【図４】
0005952380.tif 000005
【図５】
0005952380.tif 000006
【図６】
0005952380.tif 000007
【図７】
0005952380.tif 000008
【図８】
0005952380.tif 000009
【図９】
0005952380.tif 000010
【図１０】
0005952380.tif 000011
【図１１】
0005952380.tif 000012